(57)【要約】【課題】音場を大きい自由度で変えることことができ、一旦好ましい音場を設定できた場合にそれを容易に再現することができる音響反射板の駆動装置を提供する。【解決手段】複数の反射部材２、２…を第１の連結部および第２の連結部を交互に介在させ回動自在に連結して九十九折り構造とし、前記第１の連結部を同一直線上を移動可能とすると共に個別に前記同一直線上を平行移動するように駆動する。【選択図】図１
2008174977.tif 000002
【特許請求の範囲】
【請求項１】
複数の反射部材を第１の連結部および第２の連結部を交互に介在させ回動自在に連結して九十九折り構造とし、前記第１の連結部を同一直線上を移動可能とすると共に個別に前記同一直線上を平行移動するように駆動する音響反射板の駆動装置。
【請求項２】
前記第１の連結部を支持する軸に固定ラックと噛み合うギヤを固着し、前記軸を直線移動可能に案内すると共に前記軸を回転駆動する請求項１の音響反射板の駆動装置。
【請求項３】
前記第１の連結部を支持する軸を、チェンまたはタイミングベルトを介して駆動部により回転駆動する請求項１または２の音響反射板の駆動装置。
【請求項４】
前記第１の連結部を支持する夫々の軸を、夫々の軸に対応して設けられたモータにより回転駆動する請求項１または２の音響反射板の駆動装置。
【請求項５】
使用者が任意に選択した音場パターンをリモートコントローラにより音響測定解析器に送信し、前記音響測定解析器は受信した音場パターンと現在の残響時間から前記第１の連結部を支持する夫々の軸の位置を算出して前記駆動部またはモータを制御する請求項３または４の音響反射板の駆動装置。
【発明の詳細な説明】
【技術分野】
【０００１】
この発明は音響反射板に係わり、特に、その駆動装置に関する。
【背景技術】
【０００２】
従来からオーディオルームの音場を改善するために固定式または可変式の音響反射板が使用されていた。固定式の音響反射板をリスニングルームに使用するときに、音場を変えるためには音響反射板の位置を変える程度のことしかできず、音場を変えるための自由度は限られたものとなる。
【０００３】
可変式の反射角を変える音響反射板は音場を変えるための大きい自由度が得られるが、聴覚に頼りながら個々の反射板の反射角を変える作業は非常に大変であり、一旦好ましい音場を設定できた場合もそれを再現させる動作は容易でなかった。すなわち、聴覚に頼りながら反射角を変える作業は、リスニングポイントと、可変式の個々の反射板の反射角を変える動作を行う場所が離れているために、１人で音場の設定作業を行うことができず、また、個々の反射板を同一状態とすることは極めて困難である。
【０００４】
実開平６−５５１９９号公報に開示された音響反射板装置は、可動板（反射板）を上下方向の任意の位置に移動させることができるが、可動板の上下方向の高さを変えるだけであるため、多目的ホールや体育館等の施設の音場を変えることができるが、反射角を変えることができないため、天井の低いリスニングルーム等の音場を大きい自由度で変えることはできなかった。
【特許文献１】実開平６−５５１９９号公報、段落００１６〜段落００３１、図１〜図３
【発明の開示】
【発明が解決しようとする課題】
【０００５】
この発明は上記した点に鑑みてなされたものであって、その目的とするところは、音場を大きい自由度で変えることことができ、一旦好ましい音場を設定できた場合にそれを容易に再現することができる音響反射板の駆動装置を提供することにある。
【課題を解決するための手段】
【０００６】
この発明の音響反射板の駆動装置は、複数の反射部材を第１の連結部および第２の連結部を交互に介在させ回動自在に連結して九十九折り構造とし、前記第１の連結部を同一直線上を移動可能とすると共に個別に前記同一直線上を平行移動するように駆動するものである。
【０００７】
また、前記音響反射板の駆動装置において、前記第１の連結部を支持する軸に固定ラックと噛み合うギヤを固着し、前記軸を直線移動可能に案内すると共に前記軸を回転駆動するものである。
【０００８】
また、前記各音響反射板の駆動装置において、前記第１の連結部を支持する軸を、チェンまたはタイミングベルトを介して駆動部により回転駆動するものである。
【０００９】
また、同各音響反射板の駆動装置において、前記第１の連結部を支持する夫々の軸を、夫々の軸に対応して設けられたモータにより回転駆動するものである。
【００１０】
また、前記各音響反射板の駆動装置において、使用者が任意に選択した音場パターンをリモートコントローラにより音響測定解析器に送信し、前記音響測定解析器は受信した音場パターンと現在の残響時間から前記第１の連結部を支持する夫々の軸の位置を算出して前記駆動部またはモータを制御するものである。
【発明の効果】
【００１１】
この発明の音響反射板の駆動装置によれば、第１の連結部の直線上の位置を決めるだけで、個々の全ての反射部材の傾斜角および位置が確定するため、音場の設定作業が容易であり、１人でそれを行うことができる。そして、同一の音場を再現することが容易となる。
【発明を実施するための最良の形態】
【００１２】
以下この発明を実施するための最良の形態を実施例に即して説明する。
【実施例１】
【００１３】
図１（ａ）はこの発明の実施例１である音響反射板の概略構成を示す側面図、図１（ｂ）は同音響反射板の他の状態の概略構成を示す側面図、図２は同音響反射板の部分を示す側面図、図３は同音響反射板の部分を示す正面図、図４は同音響反射板の部分を示す側面図である。
【００１４】
図１（ａ）および図１（ｂ）に示す音響反射板１は、プラスチック製の反射部材２、２…が図４で示す蝶番５、５…で折曲自在に連結されて谷の底となる左方の第１の連結部と、反射部材２、２…が蝶番５、５…で折曲自在に連結されて山の頂上となる右方の第２の連結部とが交互に存在する九十九折り構造の反射部を備えている。
【００１５】
そして、第１の連結部を支持する軸３、３…は図２に示すガイド部７のガイド溝７ａを挿通することで図１における上下方向移動自在に支持されている。なお、図２において、ガイド部７は１個のみ示しているが、同形状のものが反射部材２、２…の両側に設けられている。
【００１６】
各軸３、３…は夫々個別に駆動され、各軸３、３…の夫々の位置が決まると、反射部の形状（各反射部材２、２…の傾斜角）が一義的に決定される。なお、音響反射板１は、反射部材２、２…と反対の側がリスニングルームの壁または天井と向き合うように配置される。
【００１７】
次に、図２〜図４により上記第１の連結部の支持構造を説明する。前述のように図２に示す軸３はガイド部７に設けられたガイド溝７ａにガイドされており、軸３に固着されたギヤ４は両側のガイド部７に取付けられた固定ラック８と噛み合っている。そして、軸３の両側に固着されたギヤ４、４は固定ラック８，８と同期した状態で噛み合っている。
【００１８】
図４に示すように、反射部材２、２…は蝶番５、５…で回動自在に連結されることにより左側谷部を形成する第１の連結部と、右側山部を形成する第２の連結部が形成されている。そして、図３および図４に示すように、夫々の反射部材２、２…の第１の連結部近傍に軸嵌合部６、６…が固定され、軸嵌合部６、６…の穴に軸３、３…が回転自在に挿通されている。
【００１９】
図３では軸３、３…に固定されるギヤ４、４…の図示を省略しているが、ギヤ４、４…は軸３、３…の両側にギヤ固定部３ａ、３ａ…に固着されている。図３に示すチェン９、９…は夫々の軸３、３…に固着されたスプロケットの上半分と噛み合ってＵ字形を形成するように両側が下がりその端部は、図１に示す駆動部１０に設けられた巻取・巻戻機構により巻取・巻戻される。
【００２０】
このようにして、軸３、３…は夫々独立して回転駆動され、軸３、３…の図１における上下方向の位置が決められる。このようにして、駆動部１０により２個の組みの反射部材２、２とその第１の連結部の位置が設定されてこれらが形成する三角形の形および位置が決定される。すなわち、駆動部１０を制御することにより音響反射板１の個々の反射部材２、２…の傾斜角および位置が確定し、リスニングポイントの音場を設定することができる。
【００２１】
使用者はリスニングポイントにいて、リモートコントローラ１２から赤外線により音響解析部１１に音場パターンを設定する。そして音響解析部１１は設定する各軸３、３…の位置を算出して駆動部１０を制御して音場パターンを設定する。音場パターンは僅かずつ変化するものを番号順に順序付けて記録されており、使用者は音を聞きながら容易に好みの音場を設定することができる。
【００２２】
なお、音場パターンを残響時間等で設定しておき、音響解析部１１は設定された音場パターンの残響時間と現在の残響時間との差から各軸間の距離を算出して駆動部１０を制御を制御するようにしてもよい。
【実施例２】
【００２３】
図５はこの発明の実施例２である音響反射板の部分を示す側面図である。この例では反射部材２、２…の第２の連結部を形成する部分に間隔を設けるようにして反射部材２、２…の音響反射面の側にラミネートフィルム１３が貼付けられている。ラミネートフィルム１３により第１の連結部および第２の連結部が形成される。
【００２４】
なお、ラミネートフィルムの代わりに、布に金属メッシュを貼付けたもの等可撓性であり、音の反射に適したものであれば何でも用いることができる。この例では数多の蝶番を用いないため、製造コストが安くなる。ラミネートフィルム等の材質として音響反射特性の良好なものを選ぶことができる。他の構成は実施例１と同様である。
【００２５】
実施例は以上のように構成されているが発明はこれに限られず、例えば、第１の連結部の位置を表示する目盛りを設け、手動により第１の連結部を動かすようにしてもこの発明の効果が得られる。
【図面の簡単な説明】
【００２６】
【図１】図１（ａ）はこの発明の実施例１である音響反射板の概略構成を示す側面図、図１（ｂ）は同音響反射板の他の状態の概略構成を示す側面図である。
【図２】同音響反射板の部分を示す側面図である。
【図３】同音響反射板の部分を示す正面図である。
【図４】同音響反射板の部分を示す側面図である。
【図５】この発明の実施例２である音響反射板の部分を示す側面図である。
【符号の説明】
【００２７】
１  音響反射板
２  反射部材
３  軸、３ａ  ギヤ固定部
４  ギヤ
５  蝶番
６  軸嵌合部材
７  ガイド部材、７ａ  ガイド溝
８  固定ラック
９  チェン
１０  駆動部
１１  音響測定解析器
１２  リモートコントローラ
１３  ラミネートフィルム
【図１】
2008174977.tif 000003
【図２】
2008174977.tif 000004
【図３】
2008174977.tif 000005
【図４】
2008174977.tif 000006
【図５】
2008174977.tif 000007